Podtech/llm-jp-corpus-v4-ja_patent huggingface dataset:
【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
配列番号1を含むペプチド又はそのアナログを含む、微生物の減少及び/又は除去、又は微生物感染症の予防的処置のための抗菌組成物であって、当該ペプチドは、C1、N2、T5、E6、R8、R9、H11、A12、R13、A14、S15、H16、L17、G18及びA20からなる群から選ばれる少なくとも１つのアミノ酸残基が置換されている点で、配列番号1で示されるアミノ酸配列と異なる、前記組成物。
【請求項２】
前記置換（複数）が、C1G、N2S、N2T、N2K、T5E、T5D、T5N、E6A、E6V、E6L、E6I、E6M、E6F、E6Y、E6W、R8A、R8V、R8L、R8I、R8M、R8W、R8K、R9K、H11A、H11V、H11L、H11I、H11M、H11K、H11R、H11W、A12L、R13K、A14V、A14L、A14I、A14M、S15A、S15V、S15L、S15I、S15M、S15T、S15N、S15Q、S15K、S15R、S15W、H16K、H16R、H16A、H16V、H16L、H16I、H16M、L17K、L17R、L17A、L17V、L17I、L17M、G18W及びA20Rからなる群より選ばれる、請求項１記載の組成物。
【請求項３】
前記置換（複数）が、例えば、N2S、N2K、T5E、T5D、T5N、E6A、E6V、E6L、E6I、E6M、E6F、E6Y、E6W、R8A、R8V、R8L、R8I、R8M、R8K、R8W、H11A、H11V、H11L、H11I、H11M、H11K、H11R、H11W、A12L、A14L、S15A、S15V、S15L、S15I、S15M、S15T、S15N、S15Q、S15K、S15R、S15W、H16K、H16R、H16A、H16V、H16L、H16I、H16M、L17K、L17R、L17A、L17V、L17I、L17M、G18W及びA20Rからなる群より選ばれる、請求項２記載の組成物。
【請求項４】
前記ペプチドのアミノ酸配列が、配列番号1で示されるアミノ酸配列と、2、3、4、5、6、7、8、9、10、11又は12個のアミノ酸残基において相違する、請求項１〜３いずれか１項記載の組成物。
【請求項５】
C1、N2、T5、E6、R8、R9、H11、A12、R13、A14、S15、H16、L17、G18及びA20からなる群より選ばれる少なくとも1つのアミノ酸残基が、配列番号1で示されるアミノ酸配列から除かれている、請求項１〜４のいずれか１項記載の組成物。
【請求項６】
1、2、3、4、5、6、7、8、9、10又は11個のアミノ酸残基が除かれている、請求項５記載の組成物。
【請求項７】
前記ペプチドが、1以上のアミノ酸残基、他のペプチド（複数）又は他の物質に結合される、請求項１〜６のいずれか１項記載の組成物。
【請求項８】
前記ペプチドが、1〜100個の追加のアミノ酸残基に結合される、請求項１〜７のいずれか１項記載の組成物。
【請求項９】
前記ペプチドが、アミド化、エステル化、アシル化、アセチル化、PEG化又はアルキル化により修飾される、請求項１〜８のいずれか１項記載の組成物。
【請求項１０】
薬学的に許容される緩衝剤、希釈剤、担体、アジュバント又は賦形剤を含む医薬組成物である、請求項１〜９のいずれか１項記載の組成物。
【請求項１１】
塩を含む、請求項１０記載の組成物。
【請求項１２】
前記塩が、一価のナトリウム、カリウム、又は二価の亜鉛、マグネシウム、銅又はカルシウムからなる群より選ばれる、請求項１１記載の組成物。
【請求項１３】
前記塩が二価の亜鉛である、請求項１２記載の組成物。
【請求項１４】
約4.5〜約7.0のpHを有する、請求項１０〜１３のいずれか１項記載の組成物。
【請求項１５】
請求項１〜９で定義される1、2、3又は4個の異なったポリペプチドの混合物を含む、請求項１〜１４のいずれか１項記載の組成物。
【請求項１６】
1以上の抗生物質及び/又は防腐剤（複数）を含む、請求項１〜１５のいずれか１項記載の組成物。
【請求項１７】
前記薬剤が、ペニシリン、セファロスポリン、カルバセフェム、セファマイシン、カルバペネム、モノバクタム、アミノグリコシド、グリコペプチド、キノロン、テトラサイクリン、マクロライド、フルオロキノロン、ヨウ素、銀、銅、クロルヘキシジン、ポリヘキサニド、ビグアニド、キトサン、酢酸及び過酸化水素からなる群より選ばれる、請求項１６記載の組成物。
【請求項１８】
顆粒、粉末、錠剤、被覆錠剤、カプセル剤、座剤、シロップ剤、注射用形態、エマルション、ゲル、軟膏、懸濁液、クリーム、アエロゾル、液滴の形態にある、請求項１〜１７のいずか１項記載の組成物。
【請求項１９】
配列番号2と少なくとも70 %のホモロジーを示すポリペプチドを含む、微生物の減少及び/又は除去のための抗菌組成物。
【請求項２０】
前記ポリペプチドが配列番号2と80 %、90 %又は95 %のホモロジーを示す、請求項１９記載の組成物。
【請求項２１】
前記微生物が、細菌、ウイルス、寄生虫、真菌及び酵母からな群より選ばれる、請求項１〜２０のいずれか１項記載の組成物。
【請求項２２】
前記微生物が、グラム陽性及びグラム陰性菌、例えばエンテロコッカス・フェカリス（Enterococcus faecalis）、エシェリシア・コリ（Eschericia coli）、シュードモナス・エルギノーサ（Pseudomonas aeruginosa）、プロテウス・ミラビリス（Proteus mirabilis）、ストレプトコッカス・ニューモニアエ（Streptococcus pneumoniae、ストレプトコッカス・ピオゲネス（Streptococcus pyogenes）、ストレプトコッカス・アーレウス（Staphylococcus aureus）、ウイルス、寄生虫、真菌及び酵母、例えばカンジタ・アルビカンス（Candida albicans）及びカンジタ・パラプシロシス（Candida parapsilosis）からなる群より選ばれる、請求項２１記載の組成物。
【請求項２３】
包帯、絆創膏、縫合糸、石鹸、止血栓、おむつ、シャンプー、練り歯磨き、抗座瘡化合物、サンクリーム、織物、接着剤に含まれ、創傷包帯、洗浄液又はインプラントに組み込まれる、請求項１〜２２のいずれか１項記載の組成物。
【請求項２４】
術後及び皮膚損傷後の熱傷創の予防的処置、アトピー性皮膚炎、膿痂疹、慢性皮膚潰瘍、感染性急性損傷及び熱傷創、潰瘍、外耳炎、真菌性髄膜炎、肺炎、脂漏性皮膚炎、間擦疹型皮膚カンジダ症、カンジタ膣炎、経口咽頭カンジタ症、眼科感染症及び鼻腔内感染症からなる群より選ばれる疾患の処置のために使用される、請求項１〜２３のいずれか１項記載の組成物。
【請求項２５】
微生物感染症を有する哺乳動物を治療するための、請求項１０〜２２のいずれか１項記載の抗菌組成物であって、治療上有効量が患者に投与される、前記組成物。
【請求項２６】
前記哺乳動物が、ヒト、ウマ、イヌ、ネコ、ウシ、ブタ及びラクダからなる群より選ばれる、請求項２５記載の組成物。
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
フルオロポリマーを含有する少なくとも１つの層がその上に配置された非エラストマー基材を含む、歯科矯正装置である歯科物品であって、前記フルオロポリマーが部分フッ素化コポリマーであり、さらに：
前記フルオロポリマーが、フッ素を少なくとも４０重量％含有し；
フルオロポリマー中に存在するすべてのフッ素原子のうちの少なくとも５０％が、フルオロポリマーの主鎖中にあり；及び
前記部分フッ素化コポリマーが、有機溶媒に可溶性である、前記歯科物品。
【請求項２】
歯科物品への物質の付着を低減する方法であって：
非エラストマー基材を含む歯科物品を提供する段階；および
コーティング組成物を塗布して、前記非エラストマー基材の少なくとも一部に、フルオロポリマーを含有する少なくとも１つの層を形成する段階；
を含み、前記フルオロポリマーが部分フッ素化コポリマーであり、フッ素を少なくとも４０重量％含有し、フルオロポリマー中に存在するすべてのフッ素原子のうちの少なくとも５０％がフルオロポリマーの主鎖中にあり；
ここで、前記コーティング組成物が、液体担体および前記フルオロポリマーを含み、前記歯科物品が歯科矯正装置である、前記方法。
【請求項３】
パーフルオロエラストマーを含有する少なくとも１つの層がその上に配置された非エラストマー基材を含む歯科物品。
【請求項４】
歯科物品への物質の付着を低減する方法であって：
非エラストマー基材を含む歯科物品を提供する段階；および
パーフルオロエラストマーを含有する少なくとも１つの層を被覆する段階；
を含む方法。
【請求項５】
フルオロポリマーを含有する少なくとも１つの層がその上に配置された有機ポリマー材料を含む非エラストマー基材であって、前記フルオロポリマーが、塩素、臭素またはヨウ素を含むフルオロポリマーと、有機過酸化物開始剤および多官能性脂肪族不飽和化合物を含む過酸化物硬化系とから得られる、前記非エラストマー基材。
【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
式：
【化１】
2008520662.tif 000001
［式中、Ｚは、Ｈ、ＣＯ（ＣＨ２）１４ＣＨ３、及びＰＯ（ＯＨ）２からなる群から選ばれ；
Ｘは、ＣＨ３又はＣｌであり；
Ｒ６は、Ｈ、５−メチル−［１，３］ジオキソール−２−オン−４−イル−メトキシ−カルボニル、及び５−メチル−［１，３］ジオキソール−２−オン−４−イル−メチルからなる群から選ばれ；そして
ｎは３又は４である］の化合物。
【請求項２】
ＺがＨであり、ＸがＣｌであり、Ｒ６がＨであり、そしてｎが４である、請求項１に記載の化合物。
【請求項３】
式：
【化２】
2008520662.tif 000002
［式中、Ｚは、Ｈ、ＣＯ（ＣＨ２）１４ＣＨ３、及びＰＯ（ＯＨ）２からなる群から選ばれ；
Ｒ６は、Ｈ、５−メチル−［１，３］ジオキソール−２−オン−４−イル−メトキシ−カルボニル、及び５−メチル−［１，３］ジオキソール−２−オン−４−イル−メチルからなる群から選ばれ；そして
ｎは３又は４である］の化合物。
【請求項４】
式：
【化３】
2008520662.tif 000003
［式中、Ｚは、Ｈ、ＣＯ（ＣＨ２）１４ＣＨ３、及びＰＯ（ＯＨ）２からなる群から選ばれ；
Ｒ６は、Ｈ、５−メチル−［１，３］ジオキソール−２−オン−４−イル−メトキシ−カルボニル、及び５−メチル−［１，３］ジオキソール−２−オン−４−イル−メチルからなる群から選ばれ；そして
ｎは３又は４である］の化合物。
【請求項５】
式：
【化４】
2008520662.tif 000004
［式中、Ｚは、Ｈ、ＣＯ（ＣＨ２）１４ＣＨ３、及びＰＯ（ＯＨ）２からなる群から選ばれ；
Ｒ６は、Ｈ、５−メチル−［１，３］ジオキソール−２−オン−４−イル−メトキシ−カルボニル、及び５−メチル−［１，３］ジオキソール−２−オン−４−イル−メチルからなる群から選ばれ；そして
ｎは２又は３である］の化合物。
【請求項６】
式：
【化５】
2008520662.tif 000005
［式中、Ｚは、Ｈ、ＣＯ（ＣＨ２）１４ＣＨ３、及びＰＯ（ＯＨ）２からなる群から選ばれ；
Ｒ６は、Ｈ、５−メチル−［１，３］ジオキソール−２−オン−４−イル−メトキシ−カルボニル、及び５−メチル−［１，３］ジオキソール−２−オン−４−イル−メチルからなる群から選ばれ； 
ｎは３又は４であり；そして
ｍは０又は１である］の化合物。
【請求項７】
式：
【化６】
2008520662.tif 000006
［式中、Ｚは、Ｈ、ＣＯ（ＣＨ２）１４ＣＨ３、及びＰＯ（ＯＨ）２からなる群から選ばれ；
Ｒ６は、Ｈ、５−メチル−［１，３］ジオキソール−２−オン−４−イル−メトキシ−カルボニル、及び５−メチル−［１，３］ジオキソール−２−オン−４−イル−メチルからなる群から選ばれ；そして
ｎは３又は４である］の化合物。
【請求項８】
式：
【化７】
2008520662.tif 000007
［式中、Ｚは、Ｈ、ＣＯ（ＣＨ２）１４ＣＨ３、及びＰＯ（ＯＨ）２からなる群から選ばれ；
Ｒ６は、Ｈ、５−メチル−［１，３］ジオキソール−２−オン−４−イル−メトキシ−カルボニル、及び５−メチル−［１，３］ジオキソール−２−オン−４−イル−メチルからなる群から選ばれ；そして
Ｒ’は、Ｈ、ＣＨ２ＯＣＨ３、ＣＨ（ＣＨ３）２、及び（ＣＨ２）２ＣＨ３からなる群から選ばれる］の化合物。
【請求項９】
式：
【化８】
2008520662.tif 000008
［式中、Ｚは、Ｈ、ＣＯ（ＣＨ２）１４ＣＨ３、及びＰＯ（ＯＨ）２からなる群から選ばれ；
Ｒ６は、Ｈ、５−メチル−［１，３］ジオキソール−２−オン−４−イル−メトキシ−カルボニル、及び５−メチル−［１，３］ジオキソール−２−オン−４−イル−メチルからなる群から選ばれ；そして
Ｒ’は、Ｈ、ＣＨ３、ＣＨ２ＣＨ３、（ＣＨ２）２Ｆ、及びピリジン−３−イルからなる群から選ばれる］の化合物。
【請求項１０】
式：
【化９】
2008520662.tif 000009
［式中、ＸはＣＨ３又はＣｌであり；
ｎは、２、３、４、又は５である］の化合物；又はその製薬学的に許容しうる塩若しくはプロドラッグ。
【請求項１１】
式：
【化１０】
2008520662.tif 000010
［式中、ｎは、２、３、４、又は５である］の化合物；又はその製薬学的に許容しうる塩若しくはプロドラッグ。
【請求項１２】
式：
【化１１】
2008520662.tif 000011
［式中、ｎは、２、３、４、又は５である］の化合物；又はその製薬学的に許容しうる塩若しくはプロドラッグ。
【請求項１３】
式：
【化１２】
2008520662.tif 000012
［式中、ｎは、２、３、４、又は５である］の化合物；又はその製薬学的に許容しうる塩若しくはプロドラッグ。
【請求項１４】
式：
【化１３】
2008520662.tif 000013
［式中、ｎは、２、３、４、又は５であり；
ｍは０又は１である］の化合物；又はその製薬学的に許容しうる塩若しくはプロドラッグ。
【請求項１５】
式：
【化１４】
2008520662.tif 000014
［式中、Ｒ’は、Ｈ、ＣＨ２ＯＣＨ３、ＣＨ（ＣＨ３）２、及び（ＣＨ２）２ＣＨ３からなる群から選ばれる］の化合物；又はその製薬学的に許容しうる塩若しくはプロドラッグ。
【請求項１６】
式：
【化１５】
2008520662.tif 000015
［式中、Ｒ’は、Ｈ、ＣＨ３、ＣＨ２ＣＨ３、（ＣＨ２）２Ｆ、及びピリジン−３−イルからなる群から選ばれる］の化合物；又はその製薬学的に許容しうる塩若しくはプロドラッグ。
【請求項１７】
式：
【化１６】
2008520662.tif 000016
［式中、Ｘはハロゲンである］の化合物；又はその製薬学的に許容しうる塩若しくはプロドラッグ。
【請求項１８】
式：
【化１７】
2008520662.tif 000017
［式中、Ｘはハロゲンであり；
ｎは２、３、４、又は５である］の化合物；又はその製薬学的に許容しうる塩若しくはプロドラッグ。
【請求項１９】
下記構造：
【化１８】
2008520662.tif 000018
を有する、請求項１８に記載の化合物。
【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
鉄キレート剤をヒトに投与するステップを含む、エリスロポエチン抵抗性症状を有するヒトを治療するための鉄キレート剤。
【請求項２】
前記ヒトが炎症を有する請求項１に記載の鉄キレート剤。
【請求項３】
前記鉄キレート剤が、前記鉄キレート剤の前記ヒトへの投与後の前記ヒトにおける炎症を低減するのに十分な量で投与される請求項２に記載の鉄キレート剤。
【請求項４】
前記炎症が全身性炎症である請求項２に記載の鉄キレート剤。
【請求項５】
前記炎症が炎症に対する急性期応答である請求項２に記載の鉄キレート剤。
【請求項６】
前記ヒトから採取された血液試料中でＣ−反応性タンパク質、インターロイキン−６、腫瘍壊死因子−α、アミロイドＡ、フェリチン、フィブリノーゲン、α１−抗トリプシンおよびハプトグロビンからなる群から選択される少なくとも１つのメンバーを測定するステップをさらに含む請求項５に記載の鉄キレート剤。
【請求項７】
前記鉄キレート剤が約１０ｍｇ／ｋｇ〜約１５０ｍｇ／ｋｇの用量で投与される請求項１に記載の鉄キレート剤。
【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
ＳＳＲＩ又はこの薬学的に許容できる塩もしくは溶媒和物のある量及びＧＲ拮抗薬又はこの薬学的に許容できる塩もしくは溶媒和物のある量を含み、１つ又はそれ以上の薬学的に許容できる担体類を場合によりともに含む、組み合わせ。
【請求項２】
治療法のための、請求項１に記載の組み合わせ。
【請求項３】
前記治療法が、うつ病及び関連する障害のためである、請求項２に記載の組み合わせ。
【請求項４】
前記治療法が、治療抵抗性のうつ病のためである、請求項３に記載の組み合わせ。
【請求項５】
うつ病及び関連する障害を治療するための、ＧＲ拮抗薬を含む医薬品の製造におけるＳＳＲＩの使用。
【請求項６】
うつ病及び関連する障害を治療するための、ＳＳＲＩを含む医薬品の製造におけるＧＲ拮抗薬の使用。
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2008520611.tif 000001
（式中、
Ｒ１は非置換であるか又はフッ素、塩素、Ｃ１−２アルコキシ−、−ＣＮから選択される１〜２個の置換基で置換されていてもよいフェニル；１個の酸素原子を含有する５員飽和環に縮合しているフェニル；非置換であるか又はフッ素又は塩素から選択される１〜２個の置換基で置換されていてもよいピリジニル；或いは非置換であるか又は置換基Ｃ１−２アルキルで置換されていてもよいＣ−結合ピラゾリルであり、
Ｒ２はＣ１−４アルキルであり、
Ｒ３はＣ１−２アルキルであり、
ｎは０、１又は２である）
を有する化合物、或いはその製薬上許容される塩又は溶媒和物。
【請求項２】
Ｒ１は１個の酸素原子を含有する５員飽和環に縮合しているフェニルであり、
Ｒ２はメチルであり、
Ｒ３はメチルであり、
ｎは０、１又は２である
請求項１に記載の化合物。
【請求項３】
４−（２，３−ジヒドロ−１−ベンゾフラン−４−イルアミノ）−８−メチル−６−（メチルチオ）−１，７−ナフチリジン−３−カルボキサミド、
４−（２，３−ジヒドロ−１−ベンゾフラン−４−イルアミノ）−８−メチル−６−（メチルスルホニル）−１，７−ナフチリジン−３−カルボキサミド、
（±）４−（２，３−ジヒドロ−１−ベンゾフラン−４−イルアミノ）−８−メチル−６−（メチルスルフィニル）−１，７−ナフチリジン−３−カルボキサミド
からなる群から選択される式（Ｉ）を有する化合物、又はその製薬上許容される塩もしくは溶媒和物。
【請求項４】
（Ａ）式（ＩＩ）：
【化２】
2008520611.tif 000002
（式中、Ｒ１及びＲ３は上記した通りである）
を有する化合物を適当な溶媒（例えば、Ｎ−メチル−２−ピロリジノン）中、マイクロ波照射下適当なパワー（例えば、２０〜２００Ｗ）を用いて達成される適当な温度（例えば、１５０℃）で適当な金属チオアルコキシド（例えば、ナトリウムチオＣ１−４アルコキシド）と反応させること；
（Ｂ）式（Ｉ）を有する化合物を式（Ｉ）を有する別の化合物に変換すること；又は
（Ｃ）式（Ｉ）を有する化合物の保護誘導体を脱保護すること；
を含む請求項１〜３のいずれかに記載の式（Ｉ）を有する化合物、並びにその製薬上許容される塩及び溶媒和物の製造方法。
【請求項５】
治療に使用するための請求項１〜３のいずれかに記載の化合物、或いはその製薬上許容される塩又は溶媒和物。
【請求項６】
炎症性及び／又はアレルギー性疾患の治療又は予防に使用するための請求項１〜３のいずれかに記載の化合物、或いはその製薬上許容される塩又は溶媒和物。
【請求項７】
炎症性及び／又はアレルギー性疾患の治療又は予防用薬剤の製造における請求項１〜３のいずれかに記載の化合物、或いはその製薬上許容される塩又は溶媒和物の使用。
【請求項８】
請求項１〜３のいずれかに記載の化合物と、場合により、製薬上許容される担体又は賦形剤とを含む、医薬組成物。
【請求項９】
吸入投与に適した請求項８に記載の医薬組成物。
【請求項１０】
経口投与に適した請求項８に記載の医薬組成物。
【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
多孔質炭水化物粒子に抗体結合性タンパク質リガンドを固定してなる分離マトリックスであって、リガンド密度が５．０〜１０ｍｇ／ｍｌであり、メジアン粒径が６５〜８４μｍである、分離マトリックス。
【請求項２】
分子量１１０ｋＤａのデキストランに対するＫａｖで表されるベースマトリックスのゲル相分配係数が０．６５超である、請求項１記載の分離マトリックス。
【請求項３】
分子量１１０ｋＤａのデキストランに対するＫａｖで表される粒子のゲル相分配係数が、０．６５〜０．８５である請求項１又は請求項２記載の分離マトリックス。
【請求項４】
前記リガンド密度が５．５〜９．０ｍｇ／ｍｌである、請求項１乃至請求項３のいずれか１項記載の分離マトリックス。
【請求項５】
前記粒子のメジアン粒径が約７５μｍである、請求項１乃至請求項４のいずれか１項記載の分離マトリックス。
【請求項６】
前記粒子が架橋多糖類材料を含む、請求項１乃至請求項５のいずれか１項記載の分離マトリックス。
【請求項７】
前記炭水化物材料が架橋アガロースである、請求項６記載の分離マトリックス。
【請求項８】
２．４分の滞留時間で４０ｍｇ抗体／ｍｌ分離マトリックス超の動的結合容量を与える、請求項１乃至請求項７のいずれか１項記載の分離マトリックス。
【請求項９】
前記リガンドがＦｃ結合性タンパク質を含む、請求項１乃至請求項８のいずれか１項記載の分離マトリックス。
【請求項１０】
前記Ｆｃ結合性タンパク質がプロテインＡである、請求項９記載の分離マトリックス。
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
相変化物質（ＰＣＭ）組成物であって、
ａ）ＰＣＭを２０から８０重量％、および
ｂ）ｂ１）ＡＳＴＭ  ７９２に従って測定した場合に０．９１０ｇ／ｃｍ3以下の密度を有する超低密度ポリエチレン（ＶＬＤＰＥ）、
ｂ２）０．９００ｇ／ｃｍ3以下の密度を有するエチレンプロピレンゴム（ＥＰＲ）、
ｂ３）スチレンエチレンブタジエンスチレン（ＳＥＢＳ）コポリマー、および
ｂ４）スチレンブタジエンスチレン（ＳＢＳ）コポリマー
よりなる群から選択される１種または複数種のポリマーを２０から８０重量％含んでおり、
前記重量パーセントが前記組成物の全重量を基準にしている、相変化物質（ＰＣＭ）組成物。
【請求項２】
請求項１に記載のＰＣＭ組成物で作製されたシート。
【請求項３】
請求項２に記載の少なくとも１枚のＰＣＭシート（Ａ）を含む多層構造体であって、前記シートが、アルミニウム、アルミニウムで真空塗装されたポリエステル、１種または複数種の難燃性ポリマー組成物、プラスター、ロックウール断熱材、ガラスウール断熱材および発泡ポリスチレンで作製された少なくとも１つの層（Ｂ）に隣接している、多層構造体。
【請求項４】
請求項１に記載のＰＣＭ組成物で作製された成形品。
【手続補正２】
【補正対象書類名】明細書
【補正対象項目名】００５７
【補正方法】変更
【補正の内容】
【００５７】
表３では、実施例６で得られた架橋組成物は、非架橋の同じ組成物（実施例３）と比べて、熱変形に対する耐性が著しく改善されていることが示されている。
次に、本発明の好ましい態様を示す。
1.  相変化物質（ＰＣＭ）組成物であって、
ａ）ＰＣＭを２０から８０重量％、および
ｂ）ｂ１）ＡＳＴＭ  ７９２に従って測定した場合に０．９１０ｇ／ｃｍ3以下の密度を有する超低密度ポリエチレン（ＶＬＤＰＥ）、
ｂ２）０．９００ｇ／ｃｍ3以下の密度を有するエチレンプロピレンゴム（ＥＰＲ）、
ｂ３）スチレンエチレンブタジエンスチレン（ＳＥＢＳ）コポリマー、および
ｂ４）スチレンブタジエンスチレン（ＳＢＳ）コポリマー
よりなる群から選択される１種または複数種のポリマーを２０から８０重量％含んでおり、
前記重量パーセントが前記組成物の全重量を基準にしている、相変化物質（ＰＣＭ）組成物。
2.  ０．９００ｇ／ｃｍ3以下の密度を有する前記ＥＰＲが、エチレンプロピレンジエン三元共重合体（ＥＰＤＭ）、エチレンプロピレンメチレン（ＥＰＭ）およびそれらの混合物である、上記１に記載のＰＣＭ組成物。
3.  前記１種または複数種のポリマーが、０．９１０ｇ／ｃｍ3以下の密度を有するＶＬＤＰＥである、上記１に記載のＰＣＭ組成物。
4.  前記ＰＣＭが１種または複数種の結晶質アルキル炭化水素である、上記１〜３のいずれか一項に記載のＰＣＭ組成物。
5.  少なくとも５０重量％の吸収力を有する不活性粉末を１０から４０重量％だけさらに含み、前記重量パーセントが前記不活性粉末の乾燥質量を基準にしている、上記１〜４のいずれか一項に記載のＰＣＭ組成物。
6.  前記不活性粉末が少なくとも１２０重量％の吸収力を有し、前記重量パーセントが前記不活性粉末の乾燥質量を基準にしている、上記５に記載のＰＣＭ組成物。
7.  前記不活性粉末が、シリケート、１種または複数種の難燃性充填剤およびそれらの混合物である、上記５または６に記載のＰＣＭ組成物。
8.  前記１種または複数種の難燃性充填剤が、三水和アルミニウム、水酸化マグネシウム、ピロリン酸メラミン、シアヌル酸メラミン、１種または複数種の臭素化充填剤およびそれらの混合物の中から選択される、上記７に記載のＰＣＭ組成物。
9.  前記１種または複数種のポリマーを３０から５０重量％だけ含む上記１〜８のいずれか一項に記載のＰＣＭ組成物。
10.  ５０から７０重量％のＰＣＭを含む上記１〜９のいずれか一項に記載のＰＣＭ組成物。
11.  前記１種または複数種のポリマーが０．２〜３重量％のカルボン酸またはカルボン酸無水物官能基でグラフトされており、前記重量パーセントが前記１種または複数種のポリマーの全重量を基準にしている、上記１〜１０のいずれか一項に記載のＰＣＭ組成物。
12.  前記ＶＬＤＰＥの密度が０．８００と０．９１０の間である、上記１〜１１のいずれか一項に記載のＰＣＭ組成物。
13.  酸化防止剤およびＵＶフィルターをさらに含む、上記１〜１２のいずれか一項に記載のＰＣＭ組成物。
14.  前記１種または複数種のポリマーが架橋されている、上記１〜１３のいずれか一項に記載のＰＣＭ組成物。
15.  上記１〜１４のいずれか一項に記載のＰＣＭ組成物で作製されたシート。
16.  ０．５から１０ｍｍの間の厚さを有する、上記１５に記載のシート。
17.  上記１５又は１６に記載の少なくとも１枚のＰＣＭシート（Ａ）を含む多層構造体であって、前記シートが、アルミニウム、アルミニウムで真空塗装されたポリエステル、１種または複数種の難燃性ポリマー組成物、プラスター、ロックウール断熱材、ガラスウール断熱材および発泡ポリスチレンで作製された少なくとも１つの層（Ｂ）に隣接している、多層構造体。
18.  前記少なくとも１枚のシート（Ａ）が、アルミニウム、アルミニウムで真空塗装されたポリエステル、１種または複数種の難燃性ポリマー組成物、プラスター、ロックウール断熱材、ガラスウール断熱材および発泡ポリスチレンで別個に作製された２つの層（Ｂ１、Ｂ２）の間に配置されている、上記１７に記載の多層構造体。
19.  ａ）少なくとも１枚のシート（Ａ）、
ｂ）前記少なくとも１枚のシート（Ａ）に隣接して配置された少なくとも１つの層（Ｂ）、
ｃ）前記少なくとも１つの層（Ｂ）に隣接して配置された１つまたは複数の追加層（Ｃ）をこの順序で含み、前記１つまたは複数の追加層（Ｃ）が、アルミニウム、アルミニウムで真空塗装されたポリエステル、１種または複数種の難燃性ポリマー組成物、プラスター、ロックウール断熱材、ガラスウール断熱材および発泡ポリスチレンで別個に作製されている、上記１７に記載の多層構造体。
20.  １つまたは複数の前記層（Ｂ１、Ｂ２）の外側に隣接して配置された１つまたは複数の追加層（Ｃ）をさらに含み、前記１つまたは複数の追加層（Ｃ）が、アルミニウム、アルミニウムで真空塗装されたポリエステル、１種または複数種の難燃性ポリマー組成物、プラスター、ロックウール断熱材、ガラスウール断熱材および発泡ポリスチレンで別個に作製されている、上記１８に記載の多層構造体。
21.  上記１〜１４のいずれか一項に記載のＰＣＭ組成物で作製された成形品。
【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
導電性インク、導電性フィラーおよび／または導電性コーティングの製造方法であって、導電性インク、導電性フィラーおよび／または導電性コーティングは、導電性を賦与するために銀粒子を単独でまたは他の導電性材料と組み合わせて含み、当該方法は下記の各工程を含んでなる。
キャリア媒体中にハロゲン化銀粒子の分散体を用意する工程、
該ハロゲン化銀粒子を銀粒子に転換し、キャリア媒体中に銀粒子の分散体を形成するように、銀粒子の大きさ、サイズ分布および／または形態を制御できるような方法で、ハロゲン化銀粒子の分散体を処理する工程、および
キャリア媒体中の銀粒子分散体をさらに処理して、導電性インク、導電性フィラーおよび／または導電性コーティングを形成する工程。
【請求項２】
ハロゲン化銀粒子が少なくとも８０％の量で塩化銀を含んでなる請求項１に記載の方法。
【請求項３】
銀粒子が、ハロゲン化銀平板状粒子の形態に実質的に相当する形態を有し、アスペクト比が少なくとも５：１の平板状粒子である請求項１または２に記載の方法。
【請求項４】
ハロゲン化銀粒子分散体の処理が、該ハロゲン化銀粒子をカブらせることおよび該カブらせたハロゲン化銀粒子を現像剤組成物によって還元させることを含んでなる請求項１〜３のいずれか一項に記載の方法。
【請求項５】
ハロゲン化銀粒子のカブリが、還元剤によって処理すること、ハロゲン化銀粒子を該ハロゲン化銀粒子が感受性を有する放射線に曝すこと、ハロゲン化銀分散体のｐＨを調整すること、および／またはハロゲン化銀粒子分散体に銀イオンまたは銀イオン源を導入することである請求項４に記載の方法。
【請求項６】
導電性トラックを規定するパターン化された導電性コーティングを製造する方法であって、さらなる処理が、支持体を処理して、導電性トラックの所望のパターンを定める親液性および疎液性領域を生成させ、コーティングを提供するに十分な銀粒子のレイダウンで銀粒子分散体を支持体上に塗布し、銀粒子の導電性トラックを所望のパターンに従って形成する工程を含んでなる請求項１〜５のいずれか一項に記載の方法。
【請求項７】
請求項１〜６のいずれか一項に記載の方法によって得ることができる導電性インク、導電性フィラーまたは導電性コーティング。
【請求項８】
導電性インク、導電性フィラーおよび／または導電性コーティングの製造として、または製造中に用いるための銀分散体の製造方法であって、当該方法は、下記の工程、
キャリア媒体中にハロゲン化銀粒子の分散体を提供する工程、および
該ハロゲン化銀粒子を銀粒子に変換し、キャリア媒体中に銀粒子の分散体を形成するように、銀粒子の大きさ、サイズ分布および／または形態を制御できるような方法で、ハロゲン化銀粒子の分散体を処理する工程、
を含んでなり、
当該方法は、下記の特徴の１つ以上を有する銀粒子分散体によって特徴づけられる。
Ａ）塗膜電導度が最大１０００Ω／□の抵抗率で表され、
Ｂ）少なくとも５０％が少なくとも３：１のアスペクト比を有する平板状の銀粒子であり、および
Ｃ）粒子のサイズ分布が最大０．４の変動係数を有する。
【請求項９】
銀粒子の大きさ、サイズ分布および／または形態を制御できるような方法で、ハロゲン化銀粒子を銀粒子に変換して、銀粒子分散体を形成するように、ハロゲン化銀粒子分散体を処理し、その銀粒子分散体から導電性インク、導電性フィラーまたは導電性コーティングを形成することによる、導電性インク、導電性フィラーおよび／または導電性コーティングの製造におけるハロゲン化銀粒子の使用。
【請求項１０】
ハロゲン化銀粒子分散体を銀粒子分散体に変換するように、ハロゲン化銀粒子分散体の処理を、化学現像よりも物理現像を容易にする条件下で行なう請求項９に記載の使用。
【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
等速ジョイントと、  前記等速ジョイントの周りに配置された埃ブーツシールと、から構成され、  前記埃ブーツシールは１５０℃の動作温度に耐えうるシリコン材料から成る一体型本体を有し、前記シリコン材料は非晶質シリカ、１つまたは複数のシリコン添加剤、ポリメチルシロキサン、過酸化物、少なくとも１つの顔料とから成ることを特徴とする自動車ドライブライン組立体。
【請求項２】
前記シリコン材料は、フェノールベースの繊維によって強化されることを特徴とする請求項１に記載の自動車ドライブライン組立体。
【請求項３】
前記繊維は、１５μｍの平均直径を有することを特徴とする請求項２に記載の自動車ドライブライン組立体。
【請求項４】
前記繊維は、０．２ｍｍの平均長さを有することを特徴とする請求項３に記載の自動車ドライブライン組立体。
【請求項５】
前記繊維は、約３０−５０％の伸長を有することを特徴とする請求項４に記載の自動車ドライブライン組立体。
【請求項６】
前記シリコン材料は、約５ｐｐｈｒの繊維含有量を有することを特徴とする請求項２に記載の自動車ドライブライン組立体。
【請求項７】
前記シリコン材料は、シリコン材料の第１の層および第２の層を定め、前記繊維はシリコン材料の前記第１の層および前記第２の層の間に配置されることを特徴とする請求項２に記載の自動車ドライブライン組立体。
【請求項８】
前記一体型本体は長子方向軸を有し、かつ、第１のシール端部と第２のシール端部を具備し、前記第１のシール端部は前記第２のシール端部に隣接して前記長子方向軸に沿って一方向に配置され、前記第１のシール端部および第２のシール端部はそれぞれ半径を有し、前記第１のシール端部の半径は前記第２のシール端部の半径より小さいことを特徴とする請求項１に記載の自動車ドライブライン組立体。
【請求項９】
前記第１のシール端部および前記第２シール端部は、前記長子方向軸の周りに同心円状に配置されることを特徴とする請求項８に記載の自動車ドライブライン組立体。
【請求項１０】
前記第２のシール端部は主本体によって前記第１のシール端部に連結され、前記第２のシール端部と前記主本体の間には環状空間が定められることを特徴とする請求項８に記載の自動車ドライブイン組立体。
【請求項１１】
前記環状空間は前記長子方向軸から離れた方向に延びることを特徴とする請求項１０に記載の自動ドライブイン組立体。
【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
バッテリと、キャパシタと、該バッテリから該キャパシタを介して定期的に電力を引き出す被電力供給ユニットと、セーブ回路とを含んで成る、システム内で電力を節約する方法であって、該方法は、該キャパシタから該セーブ回路を介してエネルギーを該バッテリに供給することを含む。
【請求項２】
バッテリと、キャパシタと、該キャパシタと該バッテリとの間のセーブ回路とを含んで成る装置であって、該キャパシタから該セーブ回路を介して該バッテリに、エネルギーが供給される装置。
【請求項３】
該装置が、カメラディスプレイ、電話機ディスプレイ、カメラフラッシュユニット、又はフラッシュランプである請求項2に記載の装置。
【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
コンテンツ表示を制御する方法であって、
コンテンツ表示を暗号化された形で提供する第１条件付きアクセス・サーバから、第１組の暗号キーを受信するステップと、
前記第２条件付きアクセス・サーバをクライアントに許可し、第１条件付きアクセス・サーバから受信された前記第２条件付きアクセス・サーバ使用許可に従って、前記コンテンツを表示するステップと、
から構成され、
前記第２条件付きアクセス・サーバは、第２組の暗号キーを使用して前記コンテンツを表示する際に前記コンテンツを許可されてないアクセスから保護し、
前記第１条件付きアクセス・サーバは、前記第１条件付きアクセス・サーバへのアクセスを第１の許可プロセスを介してクライアントに許可し、前記第２条件付きアクセス・サーバへのアクセスについて前記第１の許可プロセスとは別の第２の許可プロセスを介してクライアントに許可することを特徴とする方法。
【請求項２】
前記第１条件付きアクセス・サーバからのメッセージに応答して、暗号化された前記コンテンツ表示を記録するステップをさらに有することを特徴とする請求項１に記載の方法。
【請求項３】
前記記録されたコンテンツの少なくとも１部分を第１条件付きアクセス・サーバが提供した後、クライアントから前記第２条件付きアクセス・サーバへのネットワーク接続を介して前記コンテンツ表示の許可を求める要求を送信するステップをさらに有し、
前記第２条件付きアクセス・サーバは、前記第１条件付きアクセス・サーバが前記コンテンツの前記一部分を提供した後で、前記第１条件付きアクセス・サーバから前記許可を得ることを特徴とする請求項１または２に記載の方法。
【請求項４】
前記コンテンツへのアクセス許可を、前記第１条件付きアクセス・サーバから受信された許可から前記クライアントに対する許可に変換するステップをさらに有することを特徴とする請求項３に記載の方法。
【請求項５】
前記第２組の暗号キーは、ディジタル著作権管理システムのキーを含み、前記クライアントは、ディジタル著作権管理クライアントを有することを特徴とする請求項１乃至４のいずれかに記載の方法。
【請求項６】
前記第２条件付きアクセス・サーバは、前記第１条件付きアクセス・サーバから受信された使用の許可に従って、前記クライアントが前記ディジタル著作権管理システムを介して前記コンテンツの使用を許可することを特徴とする請求項１乃至５のいずれかに記載の方法。
【請求項７】
前記第１条件付きアクセス・サーバは、前記第２条件付きアクセス・サーバのアイデンティティに従って前記第２条件付きアクセス・サーバに許可を与え、前記第２条件付きアクセス・サーバは、前記クライアントのアイデンティティに従って前記クライアントに許可を与え、前記第１条件付きアクセス・サーバは、前記クライアントのアイデンティティを知らないことを特徴とする請求項１乃至６のいずれかに記載の方法。
【請求項８】
前記第２組の暗号キーは、１つのキーからなることを特徴とする請求項１乃至７のいずれかに記載の方法。
【請求項９】
前記第２条件付きアクセス・サーバは、さらなる副条件付きアクセス・サーバのサーバであり、前記副条件付きサーバに関する主条件付きアクセス・サーバとして働くことを特徴とする請求項１乃至８に記載の方法。
【請求項１０】
実行可能コンピュータ・プログラム命令を有する機械可読媒体であって、データ処理システムによって実行されると、請求項に記載１乃至９の前記コンテンツ表示制御方法を実行させることを特徴とするの機械可読媒体。
【請求項１１】
前記コンテンツ表示を制御する副条件付きアクセス・サーバであって、前記副条件付きアクセス・サーバは請求項１乃至９のいずれかに記載の方法に従って該方法を実行する手段を有することを特徴とする副条件付きアクセス・サーバ。
【請求項１２】
前記主条件付きアクセス・サーバから第１組の暗号キーを受信する通信インターフェースと、
前記副条件付きアクセス・サーバが、前記主条件付きアクセス・サーバから受信した許可に従って、当該サーバの前記クライアントが前記コンテンツ表示をすることを許可する、前記通信インターフェースに結合されたコントローラと、
から構成されることを特徴とする請求項１１に記載の副条件付きアクセス・サーバ。
【請求項１３】
条件付きアクセスを提供する方法であって、
メディア・コンポーネントのキャッシングを要求するために、加入者用の第１使用権管理メッセージをブロードキャストするステップと、
第１条件付きアクセス・サーバから前記メディア・コンポーネントをブロードキャストするステップと、
前記ブロードキャストの後に、メディア・コンポーネントを使用するためのクライアント要求を、クライアントから第２条件付きアクセス・サーバを介して受信するステップと、
前記第２条件付きアクセス・サーバを介して前記クライアント要求に応答するステップと、
から構成され、
前記第１条件付きアクセス・サーバは前記第１条件付きアクセス・サーバへのアクセスを第１の許可プロセスを介してクライアントに許可し、前記第２条件付きアクセス・サーバへのアクセスを前記第１の許可プロセスとは別の第２の許可プロセスを介してクライアントに許可することを特徴とする方法。
【請求項１４】
前記クライアント要求に応答して、前記クライアントが前記メディア・コンポーネントを再生することを許可するために第２使用権管理メッセージをブロードキャストするステップをさらに有することを特徴とする請求項１３に記載の方法。
【請求項１５】
前記クライアントは、前記第２使用権管理メッセージの前に、前記メディア・コンテンツの一部を使用することを許可されないことを特徴とする請求項１４に記載の方法。
【請求項１６】
前記第２使用権管理メッセージは、前記クライアントが前記メディア・コンテンツの前記一部を同時に使用できる複数のデバイスで前記メディア・コンテンツの前記一部を使用する権利を指定するデータを含むことを特徴とする請求項１４および１５に記載の方法。
【請求項１７】
データ処理システムによって実行されると、請求項１３乃至１６のいずれかに記載の条件付きアクセスを提供する方法を、前記システムに実行させる実行可能コンピュータ・プログラム命令を含むことを特徴とする機械可読媒体。
【請求項１８】
請求項１３乃至１６のいずれかにに記載の条件付きアクセスを提供する方法を実行するための手段を有することを特徴とする条件付きアクセスを実現する主セキュリティ・システム。
【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
複数の主ストレージ・プールおよび少なくとも１つのコピー・ストレージ・プールを含むストレージ階層内のクライアント・データの冗長記憶を管理する方法であって、
前記ストレージ階層の第１主ストレージ・プールに対して定義されている少なくとも１つのコピー・ストレージ・プールに対応する資源を取得するステップと、
前記第１主ストレージ・プールにデータを書き込むことができないと判定したことに応答して、前記少なくとも１つのコピー・ストレージ・プールに関する前記取得した資源を保持し、前記ストレージ階層の第２主ストレージ・プールに前記データを書き込むステップと、
前記ストレージ階層の第２主ストレージ・プールに前記データを書き込んだことに応答して、前記少なくとも１つのコピー・ストレージ・プールに前記データを書き込むステップと
を含む方法。
【請求項２】
前記少なくとも１つのコピー・プールが第１コピー・プールであり、前記第２コピー・プールが前記第２主ストレージ・プールに対して定義されており、
前記第１コピー・プールへの前記データの書込みに応答して、前記第１コピー・プールに対応する前記資源の解放を回避し、前記第２コピー・プールについて資源が取得されないこと
をさらに含む請求項１に記載の方法。
【請求項３】
前記取得した資源が第１組の資源であり、
前記少なくとも１つのコピー・プールに対応する前記第１組の資源の取得の前に、前記データを前記第１主ストレージ・プールに書き込む要求を受信すること、
前記第１主ストレージ・プールに対応する第２組の資源を取得すること、
前記第１主ストレージ・プールに前記データを書き込むことができないと判定したことに応答して、前記第２組の資源を解放し、前記第２主ストレージ・プールに対応する第３組の資源を取得すること、
前記少なくとも１つのコピー・プールへの前記データの書込みに関連して、前記データを前記第２主ストレージ・プールに書き込むこと、および
前記第１組の資源および前記第３組の資源を解放すること
をさらに含む請求項１に記載の方法。
【請求項４】
前記第１主ストレージ・プールがディスク・プールであり、前記第２主ストレージ・プールがテープ・プールである請求項１に記載の方法。
【請求項５】
前記第１主ストレージ・プールと比較して前記第２主ストレージ・プールが前記ストレージ階層内の下位であり、前記データを前記ストレージ階層内の利用可能な最高の主ストレージ・プールに書き込むことが選好される請求項１に記載の方法。
【請求項６】
前記資源が第１組の資源であり、
前記第１主ストレージ・プールに対応する第２組の資源を取得すること、
前記第１主ストレージ・プールに前記データを書き込むことができるかどうかに関して判定を行うこと、
前記第１主ストレージ・プールに前記データを書き込むことができると判定したことに応答して、前記第１主ストレージ・プールに前記データを書き込むこと、
前記第１主ストレージ・プールへの前記データの書込みに応答して、前記少なくとも１つのコピー・プールに前記データを書き込むこと、および
前記第１組の資源および前記第２組の資源を解放すること
をさらに含む請求項１に記載の方法。
【請求項７】
前記データの取得、保持、および前記少なくとも１つのコピー・プールへの書込みが、前記データをストレージ・サーバに送信するクライアントと通信する前記ストレージ・サーバ内のストレージ・マネージャによって実施される請求項１に記載の方法。
【請求項８】
前記ストレージ・サーバで同時書込みが可能となっている請求項７に記載の方法。
【請求項９】
前記少なくとも１つのコピー・プールに対応する前記資源が、前記少なくとも１つのコピー・プールにアクセスするのに使用されるハードウェア資源をロックすることによって取得され、前記少なくとも１つのコピー・プールにアクセスするのに使用される前記ハードウェア資源が、前記データが前記少なくとも１つのコピー・プールに書き込まれるまで少なくとも保持される請求項１に記載の方法。
【請求項１０】
前記データが、前記少なくとも１つのコピー・プールと前記第２主ストレージ・プールとにほぼ同時に書き込まれる請求項１に記載の方法。
【請求項１１】
メモリと、
前記メモリに結合されたプロセッサと、
請求項１ないし１０のいずれかに記載の方法のステップを実施する手段と
を備えるシステム。
【請求項１２】
コンピュータ上で実行されたときに、請求項１ないし１０のいずれかに記載の方法のすべてのステップを実施するコンピュータ実行可能命令を含むコンピュータ・プログラム。
【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
第１のフェデレーテッド・エンティティからのプリンシパルに関する名前識別子登録要求を、フェデレーテッド・コンピューティング環境内の第２のフェデレーテッド・エンティティで受信するステップと、
前記プリンシパルに関する前記名前識別子登録要求の受信に応答して、前記プリンシパルに関して前記第２のフェデレーテッド・エンティティで認証オペレーションを実行するステップと、
前記認証オペレーションの正常な完了に応答して、前記第２のフェデレーテッド・エンティティで受信された前記名前識別子登録要求からの名前識別子を登録または修正するステップと、
前記第２のフェデレーテッド・エンティティからの名前識別子登録応答を、前記第１のフェデレーテッド・エンティティに送信するステップと、
を有する、フェデレーテッド・コンピューティング環境内でオペレーションを実行するための方法。
【請求項２】
前記第１のフェデレーテッド・エンティティがアイデンティティ・プロバイダであり、前記第２のフェデレーテッド・エンティティがサービス・プロバイダである、請求項１に記載の方法。
【請求項３】
前記第１のフェデレーテッド・エンティティがサービス・プロバイダであり、前記第２のフェデレーテッド・エンティティがアイデンティティ・プロバイダである、請求項１に記載の方法。
【請求項４】
前記第１のフェデレーテッド・エンティティに関する情報が、前記第２のフェデレーテッド・エンティティによって前記プリンシパルに提案可能なように、前記第１のフェデレーテッド・エンティティの前記プリンシパルに関する第１のアカウントを、前記第２のフェデレーテッド・エンティティの前記プリンシパルに関する第２のアカウントとリンクさせるステップをさらに有する、請求項１に記載の方法。
【請求項５】
前記第１のフェデレーテッド・エンティティおよび前記第２のフェデレーテッド・エンティティが、前記プリンシパルに代わってシングル・サイン・オン・オペレーションを実行できるように、前記第１のフェデレーテッド・エンティティの前記プリンシパルに関する第１のアカウントを、前記第２のフェデレーテッド・エンティティの前記プリンシパルに関する第２のアカウントとリンクさせるステップをさらに有する、請求項１に記載の方法。
【請求項６】
前記認証オペレーションを実行するために、前記第２のフェデレーテッド・エンティティによって前記プリンシパルと直接対話するステップをさらに有する、請求項１に記載の方法。
【請求項７】
前記名前識別子登録要求と共に、前記第１のフェデレーテッド・エンティティから受信されたシングル・サイン・オン情報に基づいて、前記第２のフェデレーテッド・エンティティで前記認証オペレーションとしてシングル・サイン・オン・オペレーションを実行するステップをさらに有する、請求項１に記載の方法。
【請求項８】
前記認証オペレーションを実行するために、前記第２のフェデレーテッド・エンティティによって、前記第１のフェデレーテッド・エンティティにシングル・サイン・オン情報を要求するステップをさらに有する、請求項１に記載の方法。
【請求項９】
前記２のフェデレーテッド・エンティティで前記プリンシパルに関する前記名前識別子登録要求を受信するのに先立って、前記２のフェデレーテッド・エンティティで、前記第１のフェデレーテッド・エンティティからシングル・サイン・オン要求を受信するステップをさらに有する、請求項１に記載の方法。
【請求項１０】
第１のフェデレーテッド・エンティティからのプリンシパルに関する名前識別子登録要求を、フェデレーテッド・コンピューティング環境内の第２のフェデレーテッド・エンティティで受信するための手段と、
前記プリンシパルに関する前記名前識別子登録要求の受信に応答して、前記プリンシパルに関して前記第２のフェデレーテッド・エンティティで認証オペレーションを実行するための手段と、
前記認証オペレーションの正常な完了に応答して、前記第２のフェデレーテッド・エンティティで受信された前記名前識別子登録要求からの名前識別子を登録または修正するための手段と、
前記第２のフェデレーテッド・エンティティからの名前識別子登録応答を、前記第１のフェデレーテッド・エンティティに送信するための手段と、
を備える、フェデレーテッド・コンピューティング環境内でオペレーションを実行するための装置。
【請求項１１】
コンピュータを、
第１のフェデレーテッド・エンティティからのプリンシパルに関する名前識別子登録要求を、フェデレーテッド・コンピューティング環境内の第２のフェデレーテッド・エンティティで受信するための手段と、
前記プリンシパルに関する前記名前識別子登録要求の受信に応答して、前記プリンシパルに関して前記第２のフェデレーテッド・エンティティで認証オペレーションを実行するための手段と、
前記認証オペレーションの正常な完了に応答して、前記第２のフェデレーテッド・エンティティで受信された前記名前識別子登録要求からの名前識別子を登録または修正するための手段と、
前記第２のフェデレーテッド・エンティティからの名前識別子登録応答を、前記第１のフェデレーテッド・エンティティに送信するための手段と、
して機能させる、フェデレーテッド・コンピューティング環境内でオペレーションを実行するためのコンピュータ・プログラム。